(57)【特許請求の範囲】
【請求項１】
放送局からのディジタルデータを記録する記録媒体が装填される情報記録装置において、
上記記録媒体に関連付けられた、該記録媒体が有する保護レベルを示す第１の補助データ及び上記放送局から送信されるディジタルデータに存在する、該ディジタルデータを記録するために記録媒体が有する保護レベルを示す第２の補助データに基づいて、
上記第１の補助データが示す保護レベルと上記第２の補助データが示す保護レベルとの関係に応じて上記記録媒体への記録を許可するか否かを制御することを特徴とする情報記録装置。
【請求項２】
上記記録媒体への記録が許可された場合に、上記ディジタルデータと共に上記第２の補助データを記録することを特徴とする請求項１に記載の情報記録装置。
【請求項３】
放送局からのディジタルデータを記録する記録媒体が装填される情報記録方法において、
上記記録媒体に関連付けられた、該記録媒体が有する保護レベルを示す第１の補助データ及び上記放送局から送信されるディジタルデータに存在する、該ディジタルデータを記録するために記録媒体が有する保護レベルを示す第２の補助データに基づいて、
上記第１の補助データが示す保護レベルと上記第２の補助データが示す保護レベルとの関係に応じて上記記録媒体への記録を許可するか否かを制御することを特徴とする情報記録方法。
【請求項４】
上記記録媒体への記録が許可された場合に、上記ディジタルデータと共に上記第２の補助データを記録することを特徴とする請求項３に記載の情報記録方法。
【請求項５】
第１の記録媒体に記録されている放送局から受信されたディジタルデータを第２の記録媒体に複製する情報複製システムであって、
上記情報複製システムは、上記第２の記録媒体に関連付けられた、該第２の記録媒体が有する保護レベルを示す第１の補助データ及び上記ディジタルデータに関連付けられた、該ディジタルデータを記録するために上記第２の記録媒体が有する保護レベルを示す第２の補助データに基づいて、
上記第１の補助データが示す保護レベルと、上記第２の補助データが示す保護レベルとの関係に応じて上記第２の記録媒体への記録を許可するか否かを制御することを特徴とする情報複製システム。
【請求項６】
上記記録媒体への記録が許可された場合に、上記ディジタルデータと共に上記第２の補助データを記録することを特徴とする請求項５に記載の情報複製システム。
【請求項７】
第１の記録媒体に記録されている放送局から受信されたディジタルデータを第２の記録媒体に複製する情報複製方法であって、
上記情報複製システムは、上記第２の記録媒体に関連付けられた、該第２の記録媒体が有する保護レベルを示す第１の補助データ及び上記ディジタルデータに関連付けられた、該ディジタルデータを記録するために上記第２の記録媒体が有する保護レベルを示す第２の補助データに基づいて、
上記第１の補助データが示す保護レベルと、上記第２の補助データが示す保護レベルとの関係に応じて上記第２の記録媒体への記録を許可するか否かを制御することを特徴とする情報複製方法。
【請求項８】
上記記録媒体への記録が許可された場合に、上記ディジタルデータと共に上記第２の補助データを記録することを特徴とする請求項７に記載の情報複製方法。
【発明の詳細な説明】
【技術分野】
【０００１】
この発明は、例えばテレビ局やディジタルＶＣＲから供給されるディジタル信号の録画またはダビングを容易に制御できるようにした情報記録装置及び方法、情報複製システム及び方法に関する。
【背景技術】
【０００２】
従来のアナログＶＣＲ用のソフトテープでは、著作権保護のためにテレビ信号のＶブランキング期間内に同期パルスと正パルスの複数のペアからなる著作権保護信号が装填されており、この信号により記録側ＶＣＲのＡＧＣが撹乱してしまい、ダビングできないようにされている。つまり、不法にソフトテープをダビングした場合、ダビングされたテープは、再生不可能な状態となって記録され、その結果として著作権が保護されることになる。
【０００３】
ところで、ビデオデータやオーディオデータを符号化して記録再生するＶＣＲが実用化されている。この例としては、業務用ディジタルＶＣＲにおけるコンポーネント方式のＤ１、コンポジット方式のＤ２等がある。また、民生用ディジタルＶＣＲとして、画像圧縮方式のものが研究開発されている。例えば民生用ディジタルＶＣＲでは、Ｖブランキング期間やＨブランキング期間のような画像と直接的に関係のない信号は記録されない。つまり、実画像部分の信号のみが取り出され、圧縮後に記録される。再生時には、この画像データに対して、記録時と逆の処理が施され、記録されなかったＶブランキング期間やＨブランキング期間が最終的に付加されてコンポジットビデオ信号として出力される。
【発明の開示】
【発明が解決しようとする課題】
【０００４】
図１０は、ディジタルＶＣＲを用いてソフトテープをブランクテープにダビングする場合のＡＶシステムを示す図である。図１０において、ソフトテープ１０１が再生側ＶＣＲ１０２により再生されると、ソフトテープ１０１に記録されているディジタルデータ（以下、ＡＶデータとする）がケーブル１０３を介して記録側ＶＣＲ１０４に供給される。記録側ＶＣＲ１０４には、ブランクテープ１０５が装填されている。民生用ディジタルＶＣＲで採用されている圧縮方式で記録されているソフトテープをダビングする場合、テープ上に記録されるのは、上述のように、実画像部分のデータのみである。従って、ディジタルＶＣＲを用いた信号の記録やダビングでは、アナログＶＣＲのように著作権を正当に保護することができない。
【０００５】
従って、この発明の目的は、上述の問題点に鑑みてなされたもので、テレビ局やディジタルＶＣＲからのディジタル信号を録画またはダビングする際の許可／禁止を容易に制御できるようにした情報記録装置及び方法、情報複製システム及び方法を提供することにある。
【課題を解決するための手段】
【０００６】
この発明は、放送局からのディジタルデータを記録する記録媒体が装填される情報記録装置において、記録媒体に関連付けられた、該記録媒体が有する保護レベルを示す第１の補助データ及び放送局から送信されるディジタルデータに存在する、該ディジタルデータを記録するために記録媒体が有する保護レベルを示す第２の補助データに基づいて、第１の補助データが示す保護レベルと第２の補助データが示す保護レベルとの関係に応じて記録媒体への記録を許可するか否かを制御することを特徴とする情報記録装置である。
【０００７】
また、この発明は、放送局からのディジタルデータを記録する記録媒体が装填される情報記録方法において、記録媒体に関連付けられた、該記録媒体が有する保護レベルを示す第１の補助データ及び放送局から送信されるディジタルデータに存在する、該ディジタルデータを記録するために記録媒体が有する保護レベルを示す第２の補助データに基づいて、第１の補助データが示す保護レベルと第２の補助データが示す保護レベルとの関係に応じて記録媒体への記録を許可するか否かを制御することを特徴とする情報記録方法である。
【０００８】
さらに、この発明は、第１の記録媒体に記録されている放送局から受信されたディジタルデータを第２の記録媒体に複製する情報複製システムであって、情報複製システムは、第２の記録媒体に関連付けられた、該第２の記録媒体が有する保護レベルを示す第１の補助データ及びディジタルデータに関連付けられた、該ディジタルデータを記録するために第２の記録媒体が有する保護レベルを示す第２の補助データに基づいて、第１の補助データが示す保護レベルと、第２の補助データが示す保護レベルとの関係に応じて第２の記録媒体への記録を許可するか否かを制御することを特徴とする情報複製システムである。
【０００９】
さらに、この発明は、第１の記録媒体に記録されている放送局から受信されたディジタルデータを第２の記録媒体に複製する情報複製方法であって、情報複製システムは、第２の記録媒体に関連付けられた、該第２の記録媒体が有する保護レベルを示す第１の補助データ及びディジタルデータに関連付けられた、該ディジタルデータを記録するために第２の記録媒体が有する保護レベルを示す第２の補助データに基づいて、第１の補助データが示す保護レベルと、第２の補助データが示す保護レベルとの関係に応じて第２の記録媒体への記録を許可するか否かを制御することを特徴とする情報複製方法である。
【００１０】
ディジタルＶＣＲ１からディジタルＶＣＲ２に対して、ＡＶデータ及びＡＶデータの保護情報が出力される。ディジタルＶＣＲ２では、保護情報が判別される。また、ディジタルＶＣＲ２に装填されたテープの複製許可情報が読み出される。ディジタルＶＣＲ２では、保護情報及び複製許可情報に基づいて、ディジタルＶＣＲ１から供給されたディジタルデータを記録する。
【発明の効果】
【００１１】
この発明に依れば、保護情報及び複製許可情報を用いることにより、ディジタルデータを記録またはダビングする際の許可／禁止を容易に制御できるようになる。このため、データの著作権を適切に保護することができる。また、段階的な保護情報を用いることにより、さらに著作権を厳しく保護することができる。また、テレビジョン放送においては、テレビジョンやモニターで映像を観ることはできても、その映像に対する記録を制御することができる。さらに、記録やダビングする際に、元のデータの保護情報をデータと共に記録することにより、ダビングした内容の再度のダビングにおいても同様の保護／複製許可を保つことができる。
【発明を実施するための最良の形態】
【００１２】
以下、この発明の好適なる一実施例に関して図面を参照して説明する。図１は、ディジタルＶＣＲを用いてＡＶデータをダビングする時のＡＶシステムの構成図である。１は、再生側ディジタルＶＣＲ（以下、再生機とする）である。再生機１に装填されたソフトテープに記録されているＡＶデータ及び保護情報は、記録側ディジタルＶＣＲ２（以下、記録機とする）に出力される。なお、保護情報とは、再生機１に装填されたソフトテープのディジタルデータ中または後述する放送局から送信されるディジタルのテレビジョン（以下、ＤＴＶとする）データ中に存在するものであり、記録機に対してダビングを許可するか否か（許可／禁止）を示すものであり、ＡＶデータまたはＤＴＶデータと共に送出される。なお、保護情報を常に送出する代わりに、ダビングを禁止する場合には保護情報を送出し、ダビングを許可する場合には保護情報を送出しないようにしても良い。
【００１３】
記録機２に装填されるブランクテープには、複製許可情報が予め記録されている。複製許可情報とは、そのブランクテープがＡＶデータやＤＴＶデータを記録できるか否かを示す情報である。例えばメーカー側で複製可を示す複製許可情報をブランクテープに記録しておくことにより、著作権を適正に保護することができる。例えば、再生機１側から保護情報が供給されない場合や、再生機１側から複製可の保護情報が供給される場合には、再生ＡＶデータに何ら著作権がかけられていないことになり、ブランクテープに記録されている複製許可情報に係わらずダビングを行うことができる。一方、再生機１側から複製禁止の保護情報が供給される場合には、再生ＡＶデータに著作権がかけられていることとなる。この場合には、複製許可情報が重要となる。即ち、複製禁止の複製許可情報がブランクテープに記録されている場合には、ダビングができないものとされる。これとは逆に、複製可の複製許可情報が記録されている場合には、ダビングができるものとされる。
【００１４】
図２は、保護情報及び複製許可情報と、複製許可／禁止との関係を示す表である。上述でも述べたように、再生側メディアから保護情報が送られてこない場合や、複製可の保護情報が送られてくる場合には、記録側メディアの複製許可情報には関係なく、ＡＶデータやＤＴＶデータを複製することができる。また、再生側メディアから複製禁止の保護情報が送られてくると共に、記録側メディアに複製許可情報がない場合や複製禁止の複製許可情報がある場合には、複製禁止とされる。一方、再生側メディアから複製禁止の保護情報が送られてきても、複製可の複製許可情報が記録側メディアにある場合には、ＡＶデータやＤＴＶデータを複製することができる。なお、複製できない場合、例えばモニターのＯＳＤ（On Screen Display)表示等を用いて、ユーザーにその旨が知らされる。
【００１５】
図３は、ディジタルＶＣＲの原理ブロック図である。図３Ａに示される再生機１において、記録再生部３からは、装填されたソフトテープに記録されたＡＶデータが再生されて制御部５に出力される。また、保護情報読み出し部４からは、ソフトテープに予め記録された保護情報が読み出され制御部５に出力される。制御部５からは、ＡＶデータと保護情報とが出力される。
【００１６】
図３Ｂに示される記録機２において、ケーブルを介して再生機１から送出されるＡＶデータ及び保護情報は、制御部６により受け取られる。制御部６から記録再生部８にＡＶデータ及び保護情報が供給される。
【００１７】
複製可を示す保護情報が制御部６から記録再生部８に出力される場合、または、保護情報なしの場合には、記録機２に装填されたブランクテープの複製許可情報に関わらず、再生機１により再生されたＡＶデータが記録機２により記録可能とされる。
【００１８】
一方、複製禁止を示す保護情報が制御部６から記録再生部８に出力されると、複製許可情報読み出し部７は、装填されたブランクテープに複製許可情報が記録されているか否かを読み出し、その結果を制御部６に出力する。制御部６は、供給された複製許可情報に基づいて、記録再生部８に複製許可信号を出力する。詳述すると、複製許可情報がない場合や、複製禁止を示す複製許可情報が複製許可情報読み出し部７から制御部６に出力される場合には、データの複製ができないものとされる。一方、複製可を示す複製許可情報が制御部６に出力される場合に、データの複製ができるものとされる。
【００１９】
図４は、ＤＴＶデータを記録する場合のディジタルＶＣＲの構成図である。図４において、ディジタルＶＣＲは、入出力セレクタ１１、チューナ部１２、ブランクテープ（図示せず）が装填されている記録／再生装置１３、コントローラ１４及び電源回路１５からなる。ＤＴＶデータは、チューナ部１２により受信される。チューナ部１２では、ＤＴＶデータ及び複製の許可／禁止を示す保護情報が受信される。保護情報は、コントローラ１４に送り出される。複製可を示す保護情報が供給されると、コントローラ１４は、記録／再生装置１３に記録可能であることを示す制御信号を出力する。なお、保護情報がチューナ部１２からコントローラ１４に供給されない場合には、複製許可情報に係わらず記録／再生装置１３にＤＴＶデータを記録可能であることを示す制御信号が供給される。
【００２０】
一方、複製禁止を示す保護情報がチューナ部１２からコントローラ１４に供給されると、コントローラ１４は、ブランクテープの複製許可情報を読み出す。複製許可情報が記録可を示す場合には、ＤＴＶデータを複製することができ、逆に、記録禁止を示す場合には、複製ができないものとされる。
【００２１】
図５は、他のディジタルＶＣＲに装填されたソフトテープのＡＶデータをダビングする場合のディジタルＶＣＲの構成図である。図５において、図４に示される構成要素と同じものには同一符号が付されている。入出力セレクタ１１を介して、他のディジタルＶＣＲ（図示せず）からのディジタルデータ及び保護情報が信号処理装置１６に供給される。信号処理装置１６からコントローラ１４に保護情報が供給される。コントローラ１４は、信号処理装置１６から供給された保護情報に基づいて、ＡＶデータをダビング可能であるか否かを示す制御信号を記録／再生装置１３に出力する。なお、保護情報がない場合や、複製可の保護情報の場合には、複製許可情報に係わらずダビングが可能とされる。
【００２２】
一方、複製禁止の保護情報がコントローラ１４に供給された場合には、記録／再生装置１３に装填されたブランクテープの複製許可情報を読み出すための制御信号がコントローラ１４から記録／再生装置１３に供給される。複製可の複製許可情報が記録されている場合には、この情報が記録／再生装置１３からコントローラ１４に出力される。これにより、ダビングが可能とされる。一方、コントローラ１４に供給される複製許可情報が禁止を示すものである場合には、ダビング不可能とされる。
【００２３】
図６は、上述の複製許可情報や保護情報をソフトテープやブランクテープに記録（記憶）または付加するための方法を示す図である。図６Ａでは、ＲＯＭやＲＡＭ等の記憶素子がテープカセットに内蔵される。この記憶素子に複製許可情報または保護情報が記憶される。テープカセットが機器に装填されると、機器により記録素子のデータが読み出されるようになっている。図６Ｂでは、テープカセットに設けられている検出孔の状態により、このテープカセットが複製許可情報や保護情報を有しているか否かが機器により判別されるようになっている。図６Ｃでは、テープカセットに設けられたバーコードが機器により判別されることで、複製許可情報や保護情報があるか否かが判別される。図６Ｄでは、テープ上の所定の位置（例えばテープ上部の長手方向）に録画許可情報または保護情報のトラックが設けられており、テープ全域または一部区間に複製許可情報または保護情報が予め記録されている。また、このトラックに記録されている複製許可情報や保護情報は、機器側に設けられた読み取り専用固定ヘッドで読み出される。このように、ディジタルＶＣＲでは、記憶素子内の録画許可情報の読み出し、検出孔の状態検出、バーコードの認識または録画許可情報専用トラックの読み出しを行うことにより、装填されたソフトテープの複製許可情報や保護情報が読み出される。そして、装填されたブランクテープに対して録画またはダビングを行えるか否かが判断される。
【００２４】
図７は、ＤＴＶデータを記録する時の保護情報と複製許可情報との関係を示す図である。なお、以下の説明（図７及び図８）には、図２を参照されたい。
【００２５】
図７Ａのように、送信されてくるＤＴＶデータ中に保護情報がなく、且つ、記録機に装填されたブランクテープに複製許可情報がない場合には、記録可とされる。
【００２６】
図７Ｂのように、送信されてくるＤＴＶデータ中に複製禁止の保護情報があり、且つ、記録機に装填されたブランクテープに複製許可情報がない場合には、記録禁止とされる。なお、複製可の保護情報があると共に、複製許可情報がない場合には、記録可とされる。
【００２７】
図７Ｃのように、送信されてくるＤＴＶデータ中に保護情報がなく、且つ、記録機に装填されたブランクテープに複製可または複製禁止の複製許可情報がある場合には、記録可とされる。
【００２８】
図７Ｄのように、送信されてくるディジタルデータ中に保護情報があり、且つ、記録機のブランクテープに複製許可情報があるという場合は４通りある。
【００２９】
第１として、複製禁止の保護情報があり、且つ、複製禁止の複製許可情報がある場合には、記録不可とされる。第２及び第３として、複製可の保護信号があり、且つ、複製可または複製禁止の複製許可情報がある場合には、記録可とされる。第４として、複製禁止の保護情報があり、且つ、複製可の複製許可情報がある場合には、記録可とされる。なお、図７Ｄにおいて、記録可の場合には、ＤＴＶデータと共に保護情報も記録することにより、記録した内容をダビングする場合でも同様の保護及び複製許可を保つことができる。
【００３０】
図８には、ディジタルＶＣＲを用いてダビングを行う場合のシステム図が示される。
【００３１】
図８Ａにおいて、再生機に保護情報のないメディア（自分で撮影したビデオテープ等）が装填されると、記録機に装填されたメディア（ブランクテープ）の複製許可情報に係わらずダビング可とされる。
【００３２】
図８Ｂにおいて、再生機に複製禁止の保護情報付きメディア（ソフトテープ等）が装填され、複製許可情報なしのブランクテープが記録機に装填されると、ダビング不可とされる。
【００３３】
図８Ｃにおいて、再生機に保護情報のないメディアが装填され、複製許可情報（許可または禁止）を有するブランクテープが記録機に装填されると、ダビング可とされる。
【００３４】
図８Ｄにおいて、再生機に保護情報付き（複製可または禁止）メディアが装填され、記録機に複製許可情報（記録可または禁止）を有するブランクテープが装填される場合は４通りある。
【００３５】
第１として、複製禁止の保護情報があり、且つ、複製禁止の複製許可情報がある場合には、ダビング不可とされる。第２及び第３として、複製可の保護信号があり、且つ、複製可または複製禁止の複製許可情報がある場合には、ダビング可とされる。第４として、複製禁止の保護情報があり、且つ、複製可の複製許可情報がある場合には、ダビング可とされる。なお、図８Ｄにおいて、ダビング可の場合には、ディジタルデータと共に保護情報もダビングすることにより、ダビングした内容の再度のダビングにおいても同様の保護及び複製許可を保つことができる。
【００３６】
図９は、２段階の保護情報レベルを用いて、ディジタルＶＣＲでダビングを行う場合のシステム図である。この場合、保護情報に段階（レベル）を設けることにより、たとえ複製許可情報が記録機に装填されたブランクテープに付加されているとしても、そのブランクテープに対してダビングを禁止することができる。
【００３７】
図９Ａに示すように、保護情報のレベル１を有するメディアが再生機に、複製許可情報なしのメディア（ブランクテープ）が記録機に装填された場合には、ダビング不可とされる。図９Ｂに示すように、保護情報のレベル２を有するメディアが再生機に、複製許可情報なしメディアが記録機に装填された場合には、ダビング不可とされる。図９Ｃに示すように、保護情報のレベル１を有するメディアが再生機に、複製許可情報（記録可）付きメディアが記録機に装填された場合には、ダビング可とされる。なお、この場合には、保護情報がディジタルデータと共にブランクテープに記録される。これにより、他のメディアに再ダビングする際、同様の保護及び複製許可を保つことができる。図９Ｄに示すように、保護情報のレベル２を有するメディアが再生機に、複製許可情報付きメディアが記録機に装填された場合には、ダビング不可とされる。
【００３８】
上述のように、２レベルの保護情報を設け、レベル１の保護情報を複製許可情報と同一のレベルとし、レベル２の保護情報を複製許可情報よりも上位のレベルとすることにより、不正なダビングを規正することができる。
【００３９】
なお、上述の説明では、記録メディアとしてテープを用いたが、例えばディスク等を用いてもこの発明を実現できることは言うまでもない。
【図面の簡単な説明】
【００４０】
【図１】ディジタルＶＣＲを用いてＡＶデータをダビングする時のＡＶシステムの構成図である。
【図２】保護情報及び複製許可情報と、複製許可／禁止との関係を示す表である。
【図３】ディジタルＶＣＲの原理ブロック図である。
【図４】ディジタルＴＶデータを記録する場合のディジタルＶＣＲの構成図である。
【図５】ダビングする場合のディジタルＶＣＲの構成図である。
【図６】複製許可情報や保護情報をソフトテープやブランクテープに記録（記憶）または付加するための方法を示す図である。
【図７】ディジタルＴＶデータを記録する場合のシステム図である。
【図８】ディジタルＶＣＲを用いてダビングを行う場合のシステム図である。
【図９】２段階の保護情報レベルを用いて、ディジタルＶＣＲでダビングを行う場合のシステム図である。
【図１０】ディジタルＶＣＲを用いてソフトテープをブランクテープにダビングする場合のＡＶシステムを示す図である。
【符号の説明】
【００４１】
１  再生側ディジタルＶＣＲ
２  記録側ディジタルＶＣＲ
３、８  記録再生部
４  保護情報読み出し部
５、６  制御部
７  複製許可情報読み出し部
【図１】
0003649240.tif 000002
【図２】
0003649240.tif 000003
【図３】
0003649240.tif 000004
【図４】
0003649240.tif 000005
【図５】
0003649240.tif 000006
【図６】
0003649240.tif 000007
【図７】
0003649240.tif 000008
【図８】
0003649240.tif 000009
【図９】
0003649240.tif 000010
【図１０】
0003649240.tif 000011